(57)【要約】【課題】中間調の画像を印刷しても、地合いによる印刷品質低下がない溶融転写型の記録装置を提供する。【解決手段】画像の印刷データをスクリーン処理し、インクリボン巻き取り方向Ｄ１とスクリーンパターンのなす角度をスクリーン角としたとき、スクリーン角が０度を超えて４５度以下の狭角である画像データに変換する。これにより、印刷部分と非印刷部分の境界に印刷された境界ドット１５ａの境界辺１６ａには、垂直境界辺１７ｂより平行境界辺１７ａが多くなる。溶融転写型のインクリボンでは、垂直境界辺１７ｂは記録紙の地合いの影響を受けやすく、平行境界辺１７ａは記録紙の地合いの影響を受けにくいので、スクリーン角を狭角にすると、垂直境界辺１７ｂより平行境界辺１７ａが多くなり、記録紙の地合いの影響を受けにくい良好な印刷結果が得られる。【選択図】図３
2014008770.tif 000002
【特許請求の範囲】
【請求項１】
記録媒体と、
溶融転写型のインクリボンと、
前記インクリボンを溶融し、前記記録媒体に所望の画像を転写する印刷部と、
印刷データを前記所望の画像データに変換する変換処理部と、を備えた記録装置において、
前記変換処理部は前記印刷データをスクリーン処理し、前記インクリボン巻き取り方向とスクリーンパターンのなす角度をスクリーン角としたとき、スクリーン角が０度を超えて４５度以下である画像データに変換することを特徴とする記録装置。
【請求項２】
前記インクリボンは、少なくともシアン，マゼンタのカラーインクを有し、
前記変換処理部は、前記所望の画像データを、シアンカラーのスクリーン角とマゼンタカラーのスクリーン角が前記インクリボン巻き取り方向に対し線対称となるスクリーンパターンに変換することを特徴とする、請求項１に記載の記録装置。
【請求項３】
前記インクリボンはレジン系インクまたはセミレジン系インクを使用していることを特徴とする、請求項１から請求項２のいずれかに記載の記録装置。
【発明の詳細な説明】
【技術分野】
【０００１】
本発明は、記録媒体に画像を印刷する記録装置に関し、特に、中間調の画像をスクリーン処理して溶融転写にて印刷する記録装置に関する。
【背景技術】
【０００２】
近年，ディジタル印刷の普及に伴い、多種多様な画像を効率良く、品質良く印刷することが望まれている。しかしながら、一画素を白黒の1ビットで印刷するディジタル印刷装置では、画像の種類に応じて適切な画像処理方法を選択しないと、高品質な画像を得ることができない。
【０００３】
例えば，文宇などの２値画像を印刷する場合には、単一閾値によって２値化する方法が適切であるが、中間調の画像を印刷する場合には、白または黒の画素の印刷密度を変化させて、擬似的に中間調を表現する方法が適用される。
【０００４】
しかし、アート紙やコート紙などの、印刷表面に地合いと言われる凹凸のある記録媒体に画像を印刷すると、地合いの凹凸により印刷された白または黒の画素の印刷密度が変動し、画像の印刷品質が低下するおそれがある。この様な地合いの影響による印刷品質の低下を改善するために、様々な方式の印刷記録装置が提案されている。
【０００５】
地合いの影響による印刷品質の低下を改善する従来の印刷記録装置として、例えば、特許文献１では、シートに現像剤像を形成し、シート上への現像剤像の定着を行う印刷記録装置において、以下の様な方法で地合いの発生しない良好な画像形成を行う。
【０００６】
従来の印刷記録装置では、通常、図５（ａ）に示す様に、黒に近い原稿色では適宜Ｙ，Ｍ，Ｃ成分を減少し、黒色（Ｋ）でおきかえる、墨入れ処理（以下ＵＣＲ）を行う。
【０００７】
地合いの影響による印刷品質の低下を回避する場合、特許文献１に記載の印刷記録装置では、図５（ｂ）に示す様に、ＵＣＲ量を通常時の５０％にし、より多くのＹ，Ｍ，Ｃ成分のトナーが載る様にする。これにより、シートの繊維上のトナーが多くなり、加熱定着時に繊維頂上からのトナーの溶け出しがなく、よって地合いの見えない良好な画質を形成することが可能となる、としている。
特許文献１は現像剤像をシートに転写し、これを加熱定着することによって出力画像を得るレーザービーム方式等の印刷記録装置に関する発明であるが、例えば、溶融転写型の印刷記録装置では、シートに形成された現像材像が繊維頂部から溶け出す、定着工程がないため、特許文献１に記載された手法では地合いの発生が抑制できない。
【０００８】
溶融転写で印刷された印刷物は、耐擦過性に優れており用途が限定されないという特徴があり、溶融転写型の印刷記録装置でも地合いの発生を抑制する方法が求められていた。
【０００９】
画素の印刷密度の変化で中間調を印刷する場合、ディザ処理と呼ばれる、中間調の濃度に対応して印刷する画素の密度を変化させる変換処理が行われることが多く、ディザ処理では中間調の濃度が高くなると、印刷された画素が連続した領域が発生する。
印刷の画素は略方形のドットであるが、連続した印刷領域の印刷部分と非印刷部分の境界に印刷されたドットでは、各ドットの４つの辺のうちの、いくつかの辺が印刷部分と非印刷部分の境界となる。以下、境界部分に印刷されたドットの印刷部分と非印刷部分の境界となる辺を境界辺と記載する。
【００１０】
溶融転写型の印刷記録装置においては、印刷部分側のインクが記録紙に転写され、非印刷部分のインクがインクリボン側に残るため、印刷部分と非印刷部分の境界辺では、インクリボンに一様に塗布されたインクが切断される。このとき、インクリボンの巻き取り方向に平行な境界辺は略直線状に切断されるが、インクリボンの巻き取り方向に垂直な境界辺では切断形状が不定形となりがちで、記録媒体表面の地合いにより切断形状が乱れ、ドットの形状が不安定になる。これにより、印刷部分と非印刷部分の境界辺では、印刷されたドットの印刷濃度が変動し、印刷品質の低下を招く虞があった。
【先行技術文献】
【特許文献】
【００１１】
【特許文献１】特開２００２−３５１１６４号公報
【発明の概要】
【発明が解決しようとする課題】
【００１２】
本発明は、上述の課題に鑑みて、印刷表面に凹凸（地合い）のある記録媒体に画像を印刷しても、地合いによる印刷品質低下がない溶融転写型の記録装置を提供するものである。
【課題を解決するための手段】
【００１３】
この課題を解決するために、請求項１に記載の記録装置は、記録媒体と、溶融転写型のインクリボンと、前記インクリボンを溶融し、前記記録媒体に所望の画像を転写する印刷部と、印刷データを前記所望の画像データに変換する変換処理部と、を備えた記録装置において、
前記変換処理部は前記印刷データをスクリーン処理し、前記インクリボン巻き取り方向とスクリーンパターンのなす角度をスクリーン角としたとき、スクリーン角が０度を超えて４５度以下である画像データに変換するという特徴を有する。
【００１４】
この課題を解決するために、請求項２に記載の記録装置は、前記インクリボンは、少なくともシアン，マゼンタのカラーインクを有し、前記変換処理部は、前記所望の画像データを、シアンカラーのスクリーン角とマゼンタカラーのスクリーン角が前記インクリボン巻き取り方向に対し線対称となるスクリーンパターンに変換する、という特徴を有する。
【００１５】
この課題を解決するために、請求項３に記載の記録装置は、前記インクリボンはレジン系インクを使用している、という特徴を有する。
【発明の効果】
【００１６】
請求項１の発明によれば、印刷データをスクリーン処理し、インクリボン巻き取り方向とスクリーンパターンのなす角度であるスクリーン角を０度を超えて４５度以下とする。これにより、濃度に応じて印刷データが斜線のスクリーンパターンで印刷されたときに、印刷部分と非印刷部分の境界に印刷されるドットの境界辺のうち、インクリボンの巻き取り方向に平行な辺がインクリボンの巻き取り方向に垂直な辺より多くなり、記録媒体表面の凹凸（地合い）の影響による辺の乱れが発生しにくくなり、地合いによる印刷品質の低下を回避できる、という効果を奏する。
【００１７】
請求項２の発明によれば、カラー印刷時に印刷状態が認識されやすいシアンとマゼンタのスクリーン角を０度を越えて４５度以下としたので、シアンとマゼンタのスクリーンパターンが記録媒体表面の地合いの影響を受けにくくなり、カラー印刷時の地合いによる印刷品質の低下を回避できる、という効果を奏する。
【００１８】
請求項３の発明によれば、耐擦過性の良いレジン系インクを用いる事で、地合いによる印刷品質の低下がなく、広い用途に使用可能な印刷物が製作できる、という効果を奏する
【００１９】
以上により、本発明によれば、印刷表面に凹凸（地合い）のある記録媒体に画像を印刷しても、地合いによる印刷品質低下がない溶融転写型の記録装置を提供することができる。
【図面の簡単な説明】
【００２０】
【図１】本発明の実施形態に係る印刷装置の構成を示すブロック図である。
【図２】本発明の実施形態に係る印刷装置の印刷状態を示す図で、（ａ）は印刷するに従って濃度が高くなる場合の印刷状況、（ｂ）はスクリーンパターンを示す部分拡大図である。
【図３】印刷のスクリーンパターンの詳細を説明する概念図で、（ａ）はスクリーンパターンのドット配置を示す拡大図、（ｂ）は境界辺の状態を示す拡大図である。
【図４】本発明の実施形態に係る印刷装置のインクリボンの剥離状態を説明する図で、（ａ）は地合いの影響がない場合を示す図、（ｂ）は地合いによる凹部の影響がある場合を示す図、である。
【図５】従来の画像形成装置の画像の品質低下回避方法を説明する図である。
【発明を実施するための形態】
【００２１】
以下に、添付図面を参照して、本発明の実施形態に係る記録装置について説明する。
【００２２】
なお、本実施形態で説明する記録装置は、ラベル等を印刷する熱転写方式の印刷装置であるが、本発明の実施形態はこれに限定されるものではなく、一般文書や写真の印刷に用いられる種々の印刷装置に適用可能である。
【００２３】
本実施の形態に係る印刷装置１０１の構成を、図１を参照にして、説明する。図１は、本実施形態に係る印刷装置１０１の構成を示すブロック図である。
【００２４】
本実施形態に係る印刷装置１０１は、外部からの印刷データ５１を受信する入力部１と、印刷データ５１を印刷可能な画像データ５２に変換する変換処理部２と、印刷ヘッド１１によりインクリボン１２を加熱し、記録媒体１３に画像データ５２を印刷する印刷部３を有する。インクリボン１２は２つのリボン押さえ１８により記録媒体１３に圧接されている。
【００２５】
変換処理部２では印刷データ５１を画像データ５２に変換する。
本実施形態に係る印刷装置１０１の変換処理部２では、印刷データ５１をディザ処理、すなわち、多くの色を少ない色で表現するときに行う処理をし、濃度に応じて印刷ドットの印刷密度が変化する画像データ５２に変換する。印刷データ５１の濃度が低い場合、印刷されるドットは孤立しているが、濃度が高くなると、連続したドットが印刷されるようになる。
本実施形態の変換処理部２では、印刷データ５１の濃度が高い場合にはドットが連続し、斜線状に連なる様なディザ処理を行う。以下、本実施形態の変換処理部２による、ドットが連続した斜線状となるディザをスクリーンパターンと記載する。
【００２６】
印刷部３は変換処理部２で変換された画像データ５２に基づき、印刷ヘッド１１によりインクリボン１２を加熱し、インクリボン１２に一様に塗布されたインクを印刷ドット毎に選択的に記録媒体１３に転写する。
【００２７】
インクリボン１２は長尺のテープ様に加工されており、一方側に巻回されるとともに他方側に巻き取り可能となっている。
【００２８】
印刷ヘッド１１により印刷ドットが選択的に記録媒体１３に転写されたインクリボン１２は巻き取り側である他方側に巻き取られるが、この時、インクリボン１２と記録媒体１３は一体的に搬送される。やがて、インクリボン１２は他方側に巻き取られるが、この時、記録媒体１３に転写された印刷ドットは記録媒体１３側に残り、印刷ヘッド１１により加熱されなかった転写されないドット部分のインクはインクリボン１２側に残る。したがって、印刷されたドットと印刷されないドットの境界部では、インクリボンに一様に塗布さ  
【００２９】
次に、本実施形態の印刷装置１０１によるスクリーンパターンを、図２を参照して、説明する。図２は本発明の印刷装置１０１によるスクリーンパターンを示す図で、（ａ）は印刷するに従って濃度が高くなる印刷データ５１を印刷した場合の印刷結果を示す図で、（ｂ）は前記図２（ａ）のスクリーンパターンを示す部分拡大図である。図２（ａ）および（ｂ）では、本発明による効果を説明するため、スクリーン角を０度を越えて４５度以下とした場合と、本発明の範囲ではない、スクリーン角を４５度を越えて９０度以下とした場合の両者の印刷状態を記載している。
なお、以降、０度を越えて４５度以下の角度を狭角、４５度を超えて９０度以下の角度を広角と記載する。
【００３０】
本実施形態の印刷装置では、図２（ａ）に示す様に、印刷データ５１の濃度に応じてスクリーンパターンの印刷密度を変更し、濃度の異なる印刷を行う。
図２（ａ）には、濃度を１０％から６５％まで変化させた印刷データ５１を印刷した場合の印刷結果が記載されており、スクリーン角を狭角とした狭角パターン部１４ａでは、印刷データ５１の濃度の変化に対応して段階的に濃度変化している。これに対し、本発明の範囲ではない、スクリーン角を広角とした広角パターン部１４ｂでは、濃度変化が段階的ではなく、印刷品質の低下が見られる。
【００３１】
印刷データ５１の濃度が高い場合（図２（ｂ）では５５％の場合）のスクリーンパターンは、図２（ｂ）の部分拡大図に示す様に、斜線状の印刷部分と非印刷部分の繰り返しとなる。
スクリーンパターンの斜線と、インクリボン巻き取り方向Ｄ１の間の角度をスクリーン角と呼び、本実施形態の印刷装置１０１では、図２（ｂ）に狭角パターン部１４ａと示された、スクリーン角が狭角パターン角５５となる様な斜線のスクリーンパターンに変換される。
【００３２】
次に、スクリーン角を狭角としたことの作用と効果を、図３を参照にして、説明する。図３は、スクリーンパターンの一部（図３では縦横１６ドット分の領域）を拡大して示した概念図で、（ａ）はスクリーンパターンのドット配置を示す拡大図、（ｂ）は境界辺１６ａの状態を示す拡大図である。なお、図３（ａ）および（ｂ）では、本発明による効果を説明するため、スクリーン角を狭角とした場合と広角とした場合の両者の印刷状態を記載しており、説明の理解を容易とするため、スクリーン角を狭角とした場合の図とスクリーン角を広角とした場合の図の間をあけて記載している。
【００３３】
本実施形態の印刷装置で印刷された斜線のスクリーンパターンは、図３（ａ）に示す様に、インクリボン巻き取り方向Ｄ１に対して垂直の方向に、インクが転写された略方形のドットがｍ個並び、次にインクが転写されていないドットがｎ個並び、このｍ個の転写されたドットとｎ個の転写されていないドットの並びが繰り返される。なお、転写されたドットの並びの個数ｍ、および転写されていないドットの並びの個数ｎは印刷データ５１の濃度に応じて変更される。
【００３４】
また、インクリボン巻き取り方向Ｄ１に対するドットの並びのずれ量はスクリーン角により変化する。
【００３５】
本実施形態の印刷装置１０１では、スクリーン角は狭角であるので、図３（ａ）の狭角パターン部１４ａに示す様に、インクリボン巻き取り方向Ｄ１に複数ドット（図３（ａ）では４ドット）進むと、インクリボン巻き取り方向Ｄ１に垂直の方向に１ドットずれる。
これに対し、本発明の範囲ではない、スクリーン角を広角とした広角パターン部１４ｂでは、スクリーン角が広角パターン角５６となるので、インクリボン巻き取り方向Ｄ１に１ドット進むと、インクリボン巻き取り方向Ｄ１に垂直の方向に複数ドット（図３（ａ）では４ドット）ずれる。
【００３６】
上記の様に、斜線のスクリーンパターンは、インクリボン巻き取り方向Ｄ１に対して垂直の方向のｍ個の転写されたドットとｎ個の転写されていないドットの並びが、インクリボン巻き取り方向Ｄ１で規則的にずれながら繰り返されるので、印刷されたドットは、周囲が他の印刷されたドットで取り囲まれた連続ドット１５ｂと、印刷されたドットの４辺のうちのいくつかが印刷されていない部分に面している境界ドット１５ａのいずれかとなる。
【００３７】
溶融転写型のインクリボンでは、リボンに塗布された連続するインクが、印刷ヘッドによりドット単位で溶融され、記録媒体に転写される。このとき斜線の印刷部分と非印刷部分の境界に印刷された境界ドット１５ａの４辺は、隣接するドットと連続している辺（以下このような辺を連続辺１６ｂと記載する）と、非印刷部分の境界となる辺（以下このような辺を境界辺１６ａと記載する）がある。
【００３８】
連続ドット１５ｂの周囲は全て印刷されたドットであるため、連続ドット１５ｂの４辺は全て連続辺１６ｂで、連続ドット１５ｂの４辺ではインクは連続しており、インクの切断は発生しない。
【００３９】
これに対し境界ドット１５ａでは、ドットの４辺のうちのいくつかが印刷されていない部分に面する境界辺１６ａとなる。境界ドット１５ａではインクが記録紙に転写されるが、隣接する印刷されないドットでは、インクはインクリボンに残るため、境界ドット１５ａの境界辺１６ａではインクの切断が発生する。
【００４０】
境界辺１６ａには、インクリボン巻き取り方向Ｄ１と平行な平行境界辺１７ａと、インクリボン巻き取り方向Ｄ１と垂直な垂直境界辺１７ｂと、がある。
【００４１】
次に、図４を参照にして、インクリボン１２が巻き取られ、境界ドット１５ａが記録媒体１３側に転写され、境界ドット１５ａの境界辺１６ａでインクが切断されるときの挙動を説明する。図４は本発明の実施形態に係る印刷装置のインクリボン１２の剥離状態を説明する、インクリボン１２巻き取り側のリボン押さえ１８付近の拡大図で、（ａ）は地合いの影響がない場合を示す図で、（ｂ）は地合いによる凹部の影響がある場合を示す図である。
【００４２】
溶融転写型の印刷では、印刷ヘッドにより加熱された部分のインクが記録紙に転写されるが、印刷ヘッド１１により加熱された時点では、インクリボン１２は記録紙に圧接されており、印刷ヘッド１１により加熱されたインクと加熱されなかったインクは連続している。
【００４３】
インクリボン１２が巻き取られる時に、図４（ａ）に示す様に、インクリボン１２がリボン押さえ１８の下を通過し巻き取り側に引き上げられると、記録媒体１３に転写された印刷ドットは記録媒体１３側に残り、印刷ヘッド１１により加熱されなかった、転写されない非転写ドット１５ｃ部分のインクはインクリボン１２側に残る。この時、転写された印刷ドットの境界ドット１５ａの境界辺１６ａではインクの切断が行われる。
【００４４】
境界ドット１５ａの境界辺１６ａのうち平行境界辺１７ａでは、インクリボン１２の巻き取りにより平行境界辺１７ａの長さ方向に順次インクが切断される。このとき、平行境界辺１７ａでは、インクリボン１２に一様に塗布されたインクが、記録媒体１３に転写された部分と転写されなかった部分の境界で、裂く様に切断されるため、略直線状に切断される。したがって、平行境界辺１７ａは印刷ヘッドにより加熱された形状に倣った、安定した形状で切断される。
【００４５】
一方、垂直境界辺１７ｂでは、図４（ａ）に示す様に、インクリボン１２に一様に塗布されたインクが、記録媒体１３に転写された境界ドット１５ａ部分と印刷ヘッド１１により加熱されなかった非転写ドット１５ｃ部分の境界で、垂直境界辺１７ｂの全域が引きちぎられるように切断される。
インクが引きちぎられる様に切断される場合、転写された境界ドット１５ａ部分のインクが記録媒体１３に付着しようとする力と、転写されなかった非転写ドット１５ｃ部分のインクがインクリボン１２に付着しようとする力のバランスにより、切断部の位置が決定される。このため、記録媒体１３の表面に凹凸があると、記録媒体１３表面の凹凸に対応して転写された境界ドット１５ａ部分のインクが記録媒体１３に付着しようとする力が変化するので、垂直境界辺１７ｂの切断形状は記録媒体１３表面の凹凸に対応して変動する。
【００４６】
例えば、図４（ｂ）に示す様に、記録紙表面に窪んだ地合い凹部１３ａがあり、境界ドットの垂直境界辺１７ｂが地合い凹部１３ａの上にある場合、地合い凹部１３ａの上に転写されたインクの記録媒体１３への付着力は弱くなる。このため、インクリボン１２がリボン押さえ１８の下を通過して巻き取り側に引き上げられても、地合い凹部１３ａの上に印刷されたインクは記録媒体１３には転写されずにインクリボン１２に残り、境界ドット１５ａの垂直境界辺１７ｂは正規切断位置Ｐ１より境界ドット１５ａ側にずれた変動切断位置Ｐ２で切断される。
【００４７】
同様にして、境界ドットの垂直境界辺１７ｂが地合いの凸部の上にある場合、地合いの凸部の上に転写された境界ドット１５ａ部分のインクの記録媒体１３への付着力は強いため、境界ドット１５ａの垂直境界辺１７ｂは正規切断位置Ｐ１より境界ドット１５ａから遠ざかる位置で切断される。
【００４８】
上記の様に、記録紙の地合いによる凹凸により、境界ドット１５ａの垂直境界辺１７ｂの切断位置が変動するため、垂直境界辺１７ｂの位置は記録紙の地合いの影響を受けやすくなる。
【００４９】
以上の記載より、本実施形態の印刷装置１０１は、記録媒体１３と、溶融転写型のインクリボン１２と、インクリボン１２を溶融し、記録媒体１３に所望の画像を転写する印刷部３と、印刷データ５１を所望の画像データ５２に変換する変換処理部２と、を備えており、変換処理部２は印刷データ５１をスクリーン処理し、インクリボン巻き取り方向Ｄ１とスクリーンパターンのなす角度をスクリーン角としたとき、スクリーン角が狭角である画像データ５２に変換するという特徴を有している。
【００５０】
以下に、図３（ｂ）を参照にして、スクリーン角を狭角としたことによる効果を説明する。
図３（ｂ）にて、狭角パターン部１４ａとして記載した領域は、スクリーン角を狭角とした、本発明の実施形態によるスクリーンパターンの模式図である。また、広角パターン部１４ｂとして記載した領域は、本発明の範囲ではない、スクリーン角を広角とした場合のスクリーンパターンの模式図である。なお、図３（ｂ）では印刷される領域をハッチングで示し、インクリボン巻き取り方向Ｄ１と平行な平行境界辺１７ａを点線で、インクリボン巻き取り方向Ｄ１と垂直な垂直境界辺１７ｂを実線で示している。
【００５１】
本実施形態の印刷装置１０１では、スクリーン角を狭角にしたので、図３（ｂ）に狭角パターン部１４ａとして記載した様に、印刷されるドットはインクリボン巻き取り方向Ｄ１に複数ドット（図３（ｂ）では３ドット）連続し、その後、インクリボン巻き取り方向Ｄ１と垂直の方向に１ドットずれる。
【００５２】
インクリボン巻き取り方向Ｄ１に複数ドットが連続するので、境界辺は連続する複数（図３（ｂ）では３つ）の平行境界辺１７ａとなり、垂直境界辺１７ｂは印刷されるドットが垂直方向に１ドットずれるときに１つだけ生じる。したがって、スクリーン角を狭角とした場合、図３（ｂ）の狭角パターン部１４ａに示される様に、境界ドット１５ａの境界辺１６ａには、垂直境界辺１７ｂより平行境界辺１７ａが多くなる。
【００５３】
これに対し、本発明の範囲ではない、スクリーン角を広角とした広角パターン部１４ｂでは、インクリボン巻き取り方向Ｄ１に１ドット進むと、インクリボン巻き取り方向Ｄ１に対して垂直の方向に複数ドット（図３（ｂ）では３ドット）ずれるので、平行境界辺１７ａが１つだけ生じるときに、連続する複数（図３（ｂ）では３つ）の垂直境界辺１７ｂが生じる。したがって、スクリーン角を広角とした場合、図３（ｂ）の広角パターン部１４ｂに示される様に、境界ドット１５ａの境界辺１６ａには、平行境界返１７ａより垂直境界辺１７ｂが多くなる。
【００５４】
垂直境界辺１７ｂでは記録媒体に転写されたインクとインクリボンに残るインクが引きちぎられる様に切断されるので、記録紙の地合いの影響を受けやすいが、平行境界辺１７ａでは記録媒体に転写されたインクとインクリボンに残るインクは直線状に切断されるので、記録紙の地合いの影響を受けにくい。
以上より、スクリーン角を狭角とすると、記録紙の地合いの影響を受けやすい垂直境界辺１７ｂよりも、記録紙の地合いの影響を受けにくい平行境界辺１７ａが多くなるので、記録紙の地合いの影響を受けにくい良好な印刷結果が得られる。
【００５５】
また、本実施形態の印刷装置１０１では、インクリボン１２は、少なくともシアン，マゼンタのカラーインクを有し、変換処理部２は、所望の画像データ５２を、シアンカラーのスクリーン角とマゼンタカラーのスクリーン角がインクリボン巻き取り方向Ｄ１に対し線対称となるスクリーンパターンに変換する構成とした。
【００５６】
フルカラー印刷では、通常、イエロー，シアン，マゼンタの３原色のインクリボン１２が使用される。これらの３原色のうち、イエローは他の２色と比較して形状が目立ちにくいので、記録媒体１３の地合いの影響により、イエローの印刷ドットの切断位置が変動しても印刷品質は低下しない。これに対し、シアン，マゼンタは形状が目立つので、記録媒体１３の地合いの影響により、印刷ドットの切断位置が変動すると印刷品質が低下する。
【００５７】
本実施形態の印刷装置１０１では、印刷データ５１をスクリーン処理する場合に、シアンカラーのスクリーン角とマゼンタカラーのスクリーン角をインクリボン巻き取り方向Ｄ１に対し線対称となるスクリーンパターンに変換するので、形状が目立つシアン，マゼンタのスクリーン角をどちらも狭角とすることができ、記録紙の地合いの影響を受けにくい良好なカラー印刷が行える。
【００５８】
また、本実施形態の印刷装置１０１では、溶融転写型のインクリボン１２にレジン系インクまたはセミレジン系インクを使用する構成とした。
【００５９】
一般的に、溶融転写型のインクリボン１２はワックス系インクとレジン系インクおよびセミレジン系インクがある。このうちワックス系インクはインクの切断性が良く、記録紙の地合いの影響を受けにくいという特徴があるが、耐擦過性が悪いので印刷物の用途が限定される。
特に、商品等の外装部に貼り付けられるラベル等にワックス系インクを使用すると、商品の取扱中にラベルの印刷がかすれてしまい、印刷内容の確認ができなくなる虞がある。
【００６０】
これに対し、レジン系インクおよびセミレジン系インクは耐擦過性に優れているので、ラベル等の印刷に用いても取扱中のかすれ等が生じる虞が少ない。しかしながら、これらのインクは記録紙の地合いの影響を受けやすいという課題があった。
【００６１】
本実施形態の印刷装置１０１では、スクリーン角を狭角にしたので、レジン系インクまたはセミレジン系インクを使用しても、記録紙の地合いの影響を受けにくい良好な印刷が可能であるため、耐擦過性が良く、印刷品質の高い印刷物の印刷が可能である。
【００６２】
以上のように、本発明の実施形態に係る記録装置である熱転写方式のラベル印刷装置を具体的に説明したが、本発明は上記の実施形態に限定されるものではなく、要旨を逸脱しない範囲で種々変更して実施することが可能である。例えば次の様に変形して実施することができ、これらの実施形態も本発明の技術的範囲に属する。
【００６３】
（１）スクリーンパターンは全域にわたり幅が一定の斜線としたが、斜線の幅は全域にわたり一定である必要はなく、部分的に幅が変化しても良く、または、幅の異なる複数の斜線を組み合わせても良い。
【００６４】
（２）印刷データ５１を画像データ５２に変換する変換処理部２は印刷装置１０１に内蔵される構成としたが、変換処理部２は印刷装置１０１の外部に設けても良く、または、接続されるコンピュータ等で同様の変換処理を行っても良い。この様な場合でも本発明と同等の効果が得られる。
【００６５】
（３）インクリボン１２と記録媒体１３は一体的に搬送されるとしたが、インクリボン１２および記録媒体１３のどちらも移動させず、インクリボン１２の巻き取り側が移動してインクリボン１２を巻き取っても良い。
【符号の説明】
【００６６】
１    入力部
２    変換処理部
３    印刷部
１１    印刷ヘッド
１２    インクリボン
１３    記録媒体
１３ａ  地合い凹部
１４ａ  狭角パターン部
１４ｂ  広角パターン部
１５ａ  境界ドット
１５ｂ  連続ドット
１５ｃ  非転写ドット
１６ａ  境界辺
１６ｂ  連続辺
１７ａ  平行境界辺
１７ｂ  垂直境界辺
１８    リボン押さえ
５１    印刷データ
５２    画像データ
５５    狭角パターン角
５６    広角パターン角
１０１    印刷装置
Ｄ１    インクリボン巻き取り方向
Ｐ１    正規切断位置
Ｐ２    変動切断位置
【図１】
2014008770.tif 000003
【図２】
2014008770.tif 000004
【図３】
2014008770.tif 000005
【図４】
2014008770.tif 000006
【図５】
2014008770.tif 000007